(57)【要約】【課題】メタリックカラーの印刷物の色味の再現性の向上を図る。【解決手段】印刷制御部が、メタリックカラーの色材が用いられた所定の画像を印刷するように印刷部を制御し、測色取得部が、測色部で測色された、印刷された用紙上のメタリック印刷部分の測色結果を取得する。判定部は、メタリック印刷部分の測色結果に基づいて、色再現性の判定を行う。そして、色調整部が、判定部の判定結果に基づき、メタリックカラーの色材が変色する色味の補色方向の色味になるように、メタリックカラーの色材に、他のメタリックカラーの色材又はプロセスカラーの色材を追加して色調整を行う。これにより、定着時又は乾燥時の熱処理等の影響による変色が生じた際に、所望の色味となった印刷物を得ることができ、印刷物の色味の再現性の向上を図ることができる。【選択図】図２
2020155904.tif 000002
【特許請求の範囲】
【請求項１】
メタリックカラーの色材が用いられた所定の画像を印刷するように印刷部を制御する印刷制御部と、
測色部で測色された、印刷された用紙上のメタリック印刷部分の測色結果を取得する測色取得部と、
前記メタリック印刷部分の測色結果に基づいて、色再現性の判定を行う判定部と、
前記判定部の判定結果に基づき、メタリックカラーの色材が変色する色味の補色方向の色味になるように、メタリックカラーの色材に、他のメタリックカラーの色材又はプロセスカラーの色材を追加して色調整を行う色調整部と、
を有する情報処理装置。
【請求項２】
前記測色部は、インラインセンサであり、メタリック印刷部分を形成するように印刷された前記用紙上の画像のメタリック印刷部分の読み取りを行い、
読み取られた画像からメタリック印刷部分の色味を判定する色判定部を、さらに備え、
前記色調整部は、前記色判定部の判定結果に基づいて、メタリックカラーの色材に、他のメタリックカラーの色材又はプロセスカラーの色材を追加して、メタリックカラーの色材が変色する色味の補色方向の色味になるように、前記メタリックカラーの色調整を行うこと
を特徴とする請求項１に記載の情報処理装置。
【請求項３】
前記色調整部は、メタリックカラーの色材が変色する色味の補色方向の色味になるように、前記メタリックカラーの色調整を行うと共に、メタリックカラーの経年変化による変色を示す経年変化情報に基づいて、経年変化を生じた際に、所望の色味となるように、メタリックカラーの色材に、他のメタリックカラーの色材又はプロセスカラーの色材を追加して、前記メタリックカラーの色調整を行うこと
を特徴とする請求項１又は請求項２に記載の情報処理装置。
【請求項４】
印刷制御部が、メタリックカラーの色材が用いられた所定の画像を印刷するように印刷部を制御する印刷制御ステップと、
測色取得部が、測色部で測色された、印刷された用紙上のメタリック印刷部分の測色結果を取得する測色取得ステップと、
判定部が、前記メタリック印刷部分の測色結果に基づいて、色再現性の判定を行う判定ステップと、
色調整部が、前記判定部の判定結果に基づき、メタリックカラーの色材が変色する色味の補色方向の色味になるように、メタリックカラーの色材に、他のメタリックカラーの色材又はプロセスカラーの色材を追加して色調整を行う色調整ステップと、
を有する情報処理方法。
【請求項５】
コンピュータを、
メタリックカラーの色材が用いられた所定の画像を印刷するように印刷部を制御する印刷制御部と、
測色部で測色された、印刷された用紙上のメタリック印刷部分の測色結果を取得する測色取得部と、
前記メタリック印刷部分の測色結果に基づいて、色再現性の判定を行う判定部と、
前記判定部の判定結果に基づき、メタリックカラーの色材が変色する色味の補色方向の色味になるように、メタリックカラーの色材に、他のメタリックカラーの色材又はプロセスカラーの色材を追加して色調整を行う色調整部として機能させること
を特徴とする情報処理プログラム。
【発明の詳細な説明】
【技術分野】
【０００１】
本発明は、情報処理装置、情報処理方法及び情報処理プログラムに関する。
【背景技術】
【０００２】
特許文献１（特開２００９−２３３８８３号公報）において、メタリックインク及びカラーインクを併用して印刷した場合に、カラーインクに発生する「くすみ」を抑制することを目的とした印刷装置が開示されている。
【０００３】
この印刷装置は、メタリックインクを用いて印刷を行う領域に対しては、メタリックインクを用いないで印刷を行う領域と比べて、カラーインクを相対的に大きく形成して画像の印刷を行う。これにより、カラーインクが相対的に大きく形成され、入射した光の散乱の程度が低くなり、色のくすみを抑制することができる。
【発明の概要】
【発明が解決しようとする課題】
【０００４】
しかし、このような特許文献１に開示されている印刷装置も含め、従来のメタリックインク及びカラーインクの作像システムを持つ印刷装置は、定着時及び乾燥時の熱処理の影響でメタリックインクに色味の変化が生じていた。このため、希望する色味の再現性が悪いという問題があった。
【０００５】
本発明は、上述の課題に鑑みてなされたものであり、メタリックカラーの印刷物の色味の再現性の向上を図った情報処理装置、情報処理方法及び情報処理プログラムの提供を目的とする。
【課題を解決するための手段】
【０００６】
上述した課題を解決し、目的を達成するために、本発明は、メタリックカラーの色材が用いられた所定の画像を印刷するように印刷部を制御する印刷制御部と、測色部で測色された、印刷された用紙上のメタリック印刷部分の測色結果を取得する測色取得部と、メタリック印刷部分の測色結果に基づいて、色再現性の判定を行う判定部と、判定部の判定結果に基づき、メタリックカラーの色材が変色する色味の補色方向の色味になるように、メタリックカラーの色材に、他のメタリックカラーの色材又はプロセスカラーの色材を追加して色調整を行う色調整部と、を有する。
【発明の効果】
【０００７】
本発明によれば、メタリックカラーの印刷物の色味の再現性の向上を図ることができるという効果を奏する。
【図面の簡単な説明】
【０００８】
【図１】図１は、実施の形態の印刷装置のハードウェア構成図である。
【図２】図２は、実施の形態の印刷装置の機能ブロック図である。
【図３】図３は、実施の形態の印刷装置の色調整動作の流れを示すフローチャートである。
【発明を実施するための形態】
【０００９】
以下、添付図面を参照して、実施の形態の印刷装置の説明をする。
【００１０】
（印刷装置のハードウェア構成）
実施の形態の印刷装置は、シアン（Ｃ）、マゼンタ（Ｍ）、イエロー（Ｙ）及びキープレート（Ｋ：又はブラック）のプロセスカラーの色材の他、メタリックカラーの色材を用いて印刷を行うことが可能となっている。図１は、実施の形態の印刷装置のブロック図である。この図１に示すように、実施の形態の印刷装置は、ＣＰＵ１、システムメモリ（ＭＥＭ−Ｐ）２、ノースブリッジ（ＮＢ）３、サウスブリッジ（ＳＢ）４、ＡＳＩＣ(Application  Specific  Integrated  Circuit)６、ローカルメモリ（ＭＥＭ−Ｃ）７、ＨＤＤコントローラ８、及び、ハードディスク（ＨＤ）９を有している。ＮＢ３とＡＳＩＣ６との間は、ＡＧＰ(Accelerated  Graphics  Port)バス９２１で接続されている。
【００１１】
また、実施の形態の印刷装置は、ネットワークインタフェース（ネットワークＩ／Ｆ）５、近距離通信回路１０、近距離通信部１１、プリンタ部１２、スキャナ部１３、及び、操作パネル１５を有している。
【００１２】
ＣＰＵ１は、印刷装置全体の制御を行う制御部である。ＮＢ３は、ＣＰＵ１と、ＭＥＭ−Ｐ２、ＳＢ４、及びＡＧＰバス９２１とを接続するためのブリッジである。ＮＢ３は、ＭＥＭ−Ｐ２に対する読み書きなどを制御するメモリコントローラと、ＰＣＩ(Peripheral  Component  Interconnect)マスタ及びＡＧＰターゲットとを有する。
【００１３】
ＭＥＭ−Ｐ２は、メモリコントローラの各機能を実現させるプログラム又はデータの格納用メモリであるＲＯＭ１０、プログラム又はデータの展開、及びメモリ印刷時の描画用メモリ等に用いられるＲＡＭ１１を有する。なお、ＲＡＭ１０に記憶されているプログラムは、インストール可能な形式又は実行可能な形式のファイルでＣＤ−ＲＯＭ、ＣＤ−Ｒ、ＤＶＤ等のコンピュータで読み取り可能な記録媒体に記録して提供してもよい。
【００１４】
ＳＢ４は、ＮＢ３とＰＣＩデバイス、周辺デバイスとを接続するためのブリッジである。ＡＳＩＣ６は、画像処理用のハードウェア要素を有する画像処理用途向けのＩＣ(Integrated  Circuit)であり、ＡＧＰバス９２１、ＰＣＩ（Peripheral  Component  Interconnect）バス１８、ＨＤＤコントローラ８及びＭＥＭ−Ｃ７をそれぞれ接続するブリッジの役割を有する。
【００１５】
このＡＳＩＣ６は、ＰＣＩターゲット及びＡＧＰマスタ、ＡＳＩＣ６の中核をなすアービタ（ＡＲＢ）及びＭＥＭ−Ｃ７を制御するメモリコントローラを有する。また、ＡＳＩＣ６は、複数のＤＭＡＣ(Direct  Memory  Access  Controller)、プリンタ部１２、及びスキャナ部１３との間でＰＣＩバス１８を介したデータ転送を行うＰＣＩユニットを有する。
【００１６】
後述するが、スキャナ部１３は、インラインスキャナ装置となっており、メタリックカラーでテスト印刷された印刷物の読み取りを行う。このスキャナ部１３で読み取られた画像に基づいて、メタリックカラーの測定が行われ、色味の変化が測定される。
【００１７】
なお、ＡＳＩＣ６には、ＵＳＢインタフェース又はＩＥＥＥ１３９４(Institute  of  Electrical  and  Electronics  Engineers  1394）のインタフェースを接続してもよい。
【００１８】
ＭＥＭ−Ｃ７は、コピー用画像バッファ及び符号バッファとして用いるローカルメモリである。ＨＤ９には、画像データ、印刷時に用いるフォントデータ、フォームが記憶されている。また、ＨＤ９には、メタリックカラーの色味の変化を抑制した印刷物の印刷制御を行うための印刷処理プログラム、及び、各メタリックカラーの経年変化による色味の変化を示す経年変化情報が記憶されている。
【００１９】
ＨＤＤ９は、ＣＰＵ１の制御に従って、ＨＤ９に対するデータの書き込み及び読み出しを制御する。ＡＧＰバス９２１は、グラフィック処理を高速化するために提案されたグラフィックスアクセラレータカード用のバスインタフェースである。ＡＧＰバス９２１は、ＭＥＭ−Ｐ２に高スループットで直接アクセスすることで。グラフィックスアクセラレータカードを高速にすることができる。
【００２０】
近距離通信回路１０には、近距離通信部１１が接続されており、ＮＦＣ（Near  field  communication）又はＢｌｕｅｔｏｏｔｈ（登録商標）通信等の近距離無線通信を行う。
【００２１】
操作パネル１５は、現在の設定値又は選択画面等を表示し、操作者からの入力を受け付けるタッチパネル等のパネル表示部１７を有している。また、操作パネル１５は、濃度の設定条件等の画像形成に関する条件の設定値の入力を行うためのテンキー及びコピー開始を指示するためのスタートキー等を備えた操作パネル１７を有している。
【００２２】
ネットワークＩ／Ｆ５は、ネットワークを介してデータ通信を行うためのインタフェースである。近距離通信回路１０及びネットワークＩ／Ｆ５は、ＰＣＩバス１８を介して、ＡＳＩＣ６に接続されている。
【００２３】
（印刷装置の機能構成及び動作）
図２は、実施の形態の印刷装置のＣＰＵ１が、ＨＤ９に記憶されている印刷処理プログラムを実行することで実現される各機能の機能ブロック図である。この図２に示すように、ＣＰＵ１は、印刷処理プログラムを実行することで、入力処理部２１、テスト画像形成制御部２２、色調整部２３、諧調処理部２４、プリンタ制御部２５、測色取得部２６及び色判定部２７（判定部の一例）の各機能を実現する。テスト画像形成制御部２２及びプリンタ制御部２５は、印刷制御部の一例を示している。
【００２４】
入力処理部２１は、ユーザが操作パネル１５を介して行う入力操作に対応する情報処理を行う。後述するが、この実施の形態の印刷装置は、メタリックカラーの色の調整を行うメタリックカラー調整モードが設けられている。入力処理部２１は、ユーザが操作パネル１５を介して行うメタリックカラー調整モード要求を取得する。
【００２５】
テスト画像形成制御部２２は、入力処理部２１でメタリックカラー調整モード要求が取得されると、メタリック版とカラーインク版の色味の調整を行うためのテスト画像を形成する。階調処理部２３は、テスト画像形成制御部２２で形成した、例えば８ビット等の多値の画像データを２ビットの画像データに変換する等の、印刷を行うための階調処理を行い、印刷に適した面積階調の画像データを形成する。
【００２６】
プリンタ制御部２５は、この階調処理後の画像データに基づいてプリント部１２を制御し、用紙上に画像形成を行い、メタリック版及びカラーインク版で印刷されたテスト画像の印刷出力を得る。この用紙上に印刷されたテスト画像は、例えばインラインスキャナ等のスキャナ部１３で読み取られる。測色取得部２６は、このスキャナ部１３からのテスト画像の画像データを取得して、色判定部２７に供給する。
【００２７】
なお、用紙上に印刷されたテスト画像の読み取りは、ユーザがスキャナ装置を用いて手動で行ってもよい。
【００２８】
色判定部２７は、テスト画像の画像データに基づき、メタリック版及びカラーインク版で印刷されたテスト画像の色味の判定を行う。なお、この色味の判定は、ユーザが目視または測色器での測定結果に基づいて行ってもよい。色調整部２３は、印刷されるテスト画像の色味が、ユーザの所望の色味になるように色調整を行う。
【００２９】
例えば、メタリック版が所望の色味よりも色材の定着時又は乾燥過程での熱の影響により、黄色味を帯びている場合、色調整部２３は、その色味と補色の方向に色調整を行うパラメータを設定する。
【００３０】
通常のカラーインク版（ＣＭＹＫのプロセスカラー）の色調整は、例えばイエローの濃度が高い場合は、イエロー成分を少なくする方向の処理を行う。しかし、メタリック版の場合、変色は、濃度の問題ではないため、濃度を調整するだけでは、変色の問題は解決しない。このため、色調整部２３は、メタリック版の反対色（補色）の色材を加えることで、色材の定着時又は乾燥過程での熱の影響により、メタリックカラーが変色した際に、所望の色味の発色が得られるように調整している。
【００３１】
このような色調整が行われると、諧調処理部２４及びプリンタ制御部２５はプリンタ部１２を制御して、色調整されたテスト画像を再度印刷する。この再度、印刷されたテスト画像は、スキャナ部１３により読み取られて、色判定部２７で色判定される。ユーザにより、色判定部２７での色判定結果が所望の色判定結果となったと判断されるまで（テスト画像のメタリックカラーの色味が所望の色味となるまで）、上述の動作が繰り返し行われる。
【００３２】
（色調整動作の流れ）
次に、このような実施の形態の印刷装置における色調整動作の流れを、図３のフローチャートを用いて説明する。この図３のフローチャートにおいて、ユーザにより、メタリックカラー調整モードが要求されると、テスト画像形成制御部２２は、上述のようにメタリックカラーを含むテスト画像を形成する。そして、諧調処理部２４及びプリンタ制御部２５が、プリンタ部１２を制御してテスト画像を印刷する（ステップＳ１）。
【００３３】
次に、スキャナ部１３が、このテスト画像のメタリックカラーの色材で印刷された部分の読み取りを行う。測色取得部２６は、この読み取られたテスト画像の画像データを取得し、色判定部２７に供給する（ステップＳ２）。
【００３４】
次に、色判定部２７は、テスト画像の画像データのメタリック印刷部分に、色味を帯びているか否かを判定する（ステップＳ３）。もし、色味が付いている場合には、定着時又は乾燥時の熱処理等の影響による変色であると判断し、色調整部２３が、変色している色味と補色方向の色味になるように、他のメタリックカラーの色材又はプロセスカラーの色材を追加して色調整を行う。
【００３５】
換言すると、色調整部２３は、定着時又は乾燥時の熱処理等の影響による変色が生ずることで、所望の色味のメタリックカラーが得られるように、現在のメタリックカラーの色調整を行う。これにより、色調整された色味で、再度、テスト画像の印刷が行われる（ステップＳ４）。このような各処理は、メタリックカラーが所望の色味になるまで繰り返し行われる。
【００３６】
（経年変化による対応）
ここで、実施の形態の印刷装置は、印刷後のメタリックカラーの部分が、例えば１か月後に所定の変色が生ずる等の、メタリックカラー毎の経年変化の発生を示す経年変化情報が、ＨＤ９等の記憶部に記憶されている。色調整部２３は、図２に示すように、この経年変化情報を読み込み、メタリックカラーの色調整を行う。
【００３７】
すなわち、色調整部２３は、上述のように定着時又は乾燥時の熱処理等の影響による変色が生ずることで、所望の色味のメタリックカラーが得られるように、現在のメタリックカラーの色調整を行う。これに加え、色調整部２３は、メタリックカラーに経年変化が生ずることで、所望の色味のメタリックカラーが得られるように、現在のメタリックカラーの色調整を行う。
【００３８】
これにより、例えば１か月後等の所定の時間が経過した際に、メタリックカラーの経年変化による所望の色味の印刷物を得ることができる。
【００３９】
（実施の形態の効果）
以上の説明から明らかなように、実施の形態の印刷装置は、色調整部２３が、定着時又は乾燥時の熱処理等の影響による変色が生ずることで、所望の色味のメタリックカラーが得られるように、現在のメタリックカラーの色調整を行う。これにより、定着時又は乾燥時の熱処理等の影響による変色が生じた際に、所望の色味となった印刷物を得ることができる。
【００４０】
また、色調整部２３は、メタリックカラーに経年変化が生じた際に、所望の色味のメタリックカラーが得られるように、現在のメタリックカラーの色調整を行う。これにより、例えば１か月後等の所定の時間が経過した際に、メタリックカラーの経年変化による所望の色味の印刷物を得ることができる。
【００４１】
最後に、上述の実施の形態は、一例として提示したものであり、本発明の範囲を限定することは意図していない。この新規な実施の形態は、その他の様々な形態で実施されることが可能であり、発明の要旨を逸脱しない範囲で、種々の省略、置き換え、変更を行うことも可能である。また、実施の形態及び実施の形態の変形は、発明の範囲や要旨に含まれると共に、特許請求の範囲に記載された発明とその均等の範囲に含まれるものである。
【符号の説明】
【００４２】
１  ＣＰＵ
９  ＨＤ
１２  プリンタ部
１３  スキャナ部
１５  操作パネル
２１  入力処理部
２２  テスト画像形成制御部
２３  色調整部
２４  階調処理部
２５  プリンタ制御部
２６  測色取得部
２７  色判定部
【先行技術文献】
【特許文献】
【００４３】
【特許文献１】特開２００９−２３３８８３号公報
【図１】
2020155904.tif 000003
【図２】
2020155904.tif 000004
【図３】
2020155904.tif 000005